(57)【要約】【課題】塗布用容器１を片手で揺れ動くことなくしっかりと安定した状態で保持できるようにして、当該塗布用容器１内の塗布剤を身体の所望位置に簡単かつ正確に塗りやすくする。【解決手段】胴体２の上部には、アプリケーター部材３から出て垂れ落ちる塗布剤を受け止めるための受け面となる段壁面２ｃが設けられている。胴体２の外周には、当該胴体２の底面に片手の掌において各指の付け根部分を当てるとともに、当該片手の各指先で胴体２の外周所定位置を掴むように鷲掴みしたときに当該各指先が引っ掛かる引っ掛け部５が設けられている。【選択図】図３
2018015199.tif 000002
【特許請求の範囲】
【請求項１】
塗布剤が収容される胴体の上端が開口されており、この開口部分にアプリケーター部材が取り付けられ、前記アプリケーター部材から前記胴体内の塗布剤が出される塗布用容器であって、
前記胴体の上部には、前記アプリケーター部材から出て垂れ落ちる塗布剤を受け止めるための受け面となる段壁面が設けられており、
前記胴体の外周には、当該胴体の底面に片手の掌において各指の付け根部分を当てるとともに、当該片手の各指先で前記胴体の外周所定位置を掴むように鷲掴みしたときに当該各指先が引っ掛かる引っ掛け部が設けられている、ことを特徴とする塗布用容器。
【請求項２】
請求項１に記載の塗布用容器において、
前記胴体の下部は、底面へ向けて徐々に縮径するように丸みを帯びた形状に形成されている、ことを特徴とする塗布用容器。
【請求項３】
請求項１または２に記載の塗布用容器において、
前記胴体の底面から前記引っ掛け部までの高さ寸法は、４２〜５８ｍｍに設定され、また、前記胴体の最大外径寸法は、４０〜５５ｍｍに設定される、ことを特徴とする塗布用容器。
【請求項４】
請求項１から３のいずれか１項に記載の塗布用容器において、
前記引っ掛け部は、溝、段差、突起、及び凹みからなる群より選ばれる少なくとも１種であり、且つ、前記胴体の外周に沿って設けられる、ことを特徴とする塗布用容器。
【請求項５】
請求項１から３のいずれか１項に記載の塗布用容器において、
前記引っ掛け部は、前記胴体の外周に沿って連続する環状溝または段差とされる、ことを特徴とする塗布用容器。
【請求項６】
請求項１から３のいずれか１項に記載の塗布用容器において、
前記引っ掛け部は、前記胴体の外周に点在するように設けられる複数の突起とされる、ことを特徴とする塗布用容器。
【請求項７】
請求項１から６のいずれか１項に記載の塗布用容器において、
前記引っ掛け部の引っ掛かり代は、０．３５ｍｍ以上に設定される、ことを特徴とする塗布用容器。
【請求項８】
腋用のデオドラント剤を塗布する用途に用いられる塗布用容器である、請求項１から７のいずれか１項に記載の塗布用容器。
【発明の詳細な説明】
【技術分野】
【０００１】
本発明は、塗布用容器に関する。
【背景技術】
【０００２】
従来、化粧材や薬剤などの塗布剤を容器内部に充填し、使用時には容器上部などに用いられたアプリケーター部材より塗布剤が出て、身体等に塗布剤を塗布することができる塗布用容器が知られている。これらの塗布用容器としては、塗布剤の種類や使用部位、使用方法などに応じて、様々な形態のものが知られている。
【０００３】
例えば特許文献１に示すアプリケーター装置は、容器の本体の上部が小径に絞られていて、この小径部分の上端が開口されており、この小径部分にサポートを介してアプリケーター部材が取り付けられ、このサポートに蓋が取り付けられている。アプリケーター部材から容器内の塗布剤が出される。
【０００４】
なお、前記容器の上部において小径部分の付け根の周囲には段壁面が設けられており、容器の下部は下端へ向けて徐々に縮径するように丸みを帯びた形状になっている。
【０００５】
また、特許文献２の図２４に示す塗布器具は、受け器の頂端部に支持体構成部分を設け、この支持体構成部分にアプリケーター部材を取り付けた構成になっている。
【０００６】
前記受け器は、樽形状になっており、その中心軸線を上下方向に沿わせるように立てた姿勢とされている。この受け器の上端には、上向きに立ち上がる円筒部が設けられており、この円筒部の上部の段壁面が、アプリケーター部材から出て垂れ落ちる塗布剤を受け止めるための液だれ受け面になっている。
【先行技術文献】
【特許文献】
【０００７】
【特許文献１】特許第４８０８００１号公報
【特許文献２】特許第４４３０８７０号公報
【発明の概要】
【発明が解決しようとする課題】
【０００８】
上記特許文献１，２のいずれにも、使用時に容器が不安定に揺れ動いて塗布剤を必要部位に塗りにくくなることを防止するために、前記容器や前記受け器を安定した状態で持ちやすくするという技術思想ならびにそれを実現するための構成についての記載ならびに示唆は一切ない。
【０００９】
このような事情に鑑み、本発明は、塗布用容器を片手で揺れ動くことなくしっかりと安定した状態で保持できるようにして、当該塗布用容器内の塗布剤を身体の所望位置に簡単かつ正確に塗りやすくすることを目的としている。
【課題を解決するための手段】
【００１０】
本発明は、塗布剤が収容される胴体の上端が開口されており、この開口部分にアプリケーター部材が取り付けられ、前記アプリケーター部材から前記胴体内の塗布剤が出される塗布用容器であって、前記胴体の上部には、前記アプリケーター部材から出て垂れ落ちる塗布剤を受け止めるための受け面となる段壁面が設けられており、前記胴体の外周には、当該胴体の底面に片手の掌において各指の付け根部分を当てるとともに、当該片手の各指先で前記胴体の外周所定位置を掴むように鷲掴みしたときに当該各指先が引っ掛かる引っ掛け部が設けられている、ことを特徴としている。
【００１１】
この構成では、前記胴体を鷲掴みすると、片手の掌において丘部分（各指の付け根部分）で前記胴体の底面を支えて、前記各指先で前記引っ掛け部を介して前記胴体を各指の付け根側へ引き寄せることになるので、当該塗布用容器が揺れ動くことなくしっかりと安定した状態で保持できるようになる。
【００１２】
これにより、塗布用容器を片手で持って塗布剤を身体の所望位置に塗る際に、塗布剤を簡単かつ正確に塗ることが可能になる。特に、上述のように塗布用容器を鷲掴みで持ちやすくすることにより、腋などの塗布しにくい部位に簡単かつ正確に塗布剤を塗りやすくなるため好ましい。
【００１３】
ところで、前記胴体の下部は、底面へ向けて徐々に縮径するように丸みを帯びた形状に形成されている、構成とすることができる。
【００１４】
この構成では、前記胴体を鷲掴みすると、片手の掌において各指の付け根部分が前記胴体の底面に当接した状態で当該付け根部分から各指の内面にかけて前記胴体の下部がフィットしやすくなるので、より安定した状態で保持できるようになる。
【００１５】
また、前記胴体の底面から前記引っ掛け部までの高さ寸法は、４２〜５８ｍｍ、好ましくは４５〜５５ｍｍに設定され、また、前記胴体の最大外径寸法は、４０〜５５ｍｍ、好ましくは４２〜５０ｍｍに設定される、構成とすることができる。
【００１６】
ここでは、前記胴体を鷲掴みしたときに、塗布用容器が揺れ動くことなくしっかりと安定した状態で保持するために、前記胴体の外径形状を設定している。
【００１７】
また、前記引っ掛け部は、溝、段差、突起、及び凹みからなる群より選ばれる少なくとも１種であり、且つ、前記胴体の外周に沿って設けられる、構成とすることができる。
【００１８】
また、前記引っ掛け部は、前記胴体の外周に沿って連続する環状溝または段差とされる、構成とすることができる。
【００１９】
ここでは、前記引っ掛け部の形状を環状溝または段差に設定しており、この設定により片手の各指先が前記胴体の円周方向のどこに位置していても、前記引っ掛け部である環状溝または段差に引っ掛かりやすくなる。
【００２０】
また、前記引っ掛け部は、前記胴体の外周に点在するように設けられる複数の突起とされる、構成とすることができる。
【００２１】
ここでは、前記引っ掛け部の形状を環状溝または段差に設定しており、この設定により片手の各指先が前記胴体の円周方向のどこに位置していても、前記引っ掛け部である環状溝または段差に引っ掛かりやすくなる。
【００２２】
また、前記引っ掛け部の引っ掛かり代は、０．３５ｍｍ以上、好ましくは０．４〜２ｍｍに設定される、構成とすることができる。この場合、前記胴体を片手で鷲掴みすることにより、各指先を前記引っ掛け部に引っ掛けたときに、その状態を維持しやすくなる。
【００２３】
さらに、本発明に係る塗布用容器は、腋用のデオドラント剤を塗布する用途に好ましく用いられる。
【発明の効果】
【００２４】
本発明は、塗布用容器を片手で揺れ動くことなくしっかりと安定した状態で保持できるようにして、特に鷲掴みで持つ場合にもしっかりと安定した状態で保持できるようにして、当該塗布用容器内の塗布剤を身体の所望位置に簡単かつ正確に塗りやすくできるなど、使い勝手を高めることができる。
【図面の簡単な説明】
【００２５】
【図１】本発明に係る塗布用容器の一実施形態で、その全体の外観を示す斜視図である。
【図２】図１の塗布用容器を分解した状態の側面図である。
【図３】図１の塗布用容器を持つときの様子を示す斜視図である。
【図４】図３を反対側から見た斜視図である。
【図５】図３および図４に示すように塗布用容器を保持して、塗布剤を腋に塗るときの様子を示す斜視図である。
【図６】本発明に係る塗布用容器の他実施形態を分解した状態で示す側面図である。
【図７】本発明に係る塗布用容器のさらに他実施形態を分解した状態で示す側面図である。
【図８】本発明に係る塗布用容器のさらに他実施形態を分解した状態で示す側面図である。
【図９】本発明に係る塗布用容器のさらに他実施形態を分解した状態で示す側面図である。
【図１０】本発明に係る塗布用容器のさらに他実施形態を分解した状態で示す側面図である。
【図１１】本発明に係る塗布用容器のさらに他実施形態を分解した状態で示す側面図である。
【図１２】本発明に係る塗布用容器の高さ寸法を変えたときの評価スコアの平均値を示す図である。
【図１３】本発明に係る塗布用容器の最大外径寸法を変えたときの評価スコアの平均値を示す図である。
【図１４】本発明に係る塗布用容器の引っ掛かり代を変えたときの評価スコアの平均値を示す図である。
【発明を実施するための形態】
【００２６】
以下、本発明を実施するための実施形態について添付図面を参照して詳細に説明する。
【００２７】
図１から図５に、本発明の一実施形態を示している。図中、１は塗布用容器の全体を示している。
【００２８】
塗布用容器１は、図２に示すように、胴体２と、アプリケーター部材３と、キャップ４とを備えている。
【００２９】
胴体２は、内部に例えば液状のデオドラント組成物、化粧剤、薬剤などの塗布剤が封入されるものであって、上側が開口した有底円筒形に形成されている。
【００３０】
この胴体２の中心軸線方向の中間の所定位置から上側には、２段階で小径となった筒部（２ａ，２ｂ）が設けられている。付け根側の小径筒部２ａの外径が先端側の小径筒部２ｂの外径よりも大きく設定されている。
【００３１】
先端側小径筒部２ｂにはアプリケーター部材３が例えば圧入などにより取り付けられるようになっていて、付け根側小径筒部２ａにはキャップ４が例えばねじ（符号省略）などにより着脱可能に取り付けられるようになっている。
【００３２】
アプリケーター部材３は、胴体２内の塗布剤を取り出して塗布相手に転移させるものであって、ボール３ａをホルダ３ｂに自転可能に取り付けた構成になっている。
【００３３】
キャップ４は、アプリケーター部材３を不使用時に隠蔽して使用時に露呈するものであって、下側開口から上側に向けて徐々に窄まるような形状に形成されている。
【００３４】
なお、胴体２の上側で付け根側小径筒部２ａの外周の段壁面２ｃが、アプリケーター部材３から塗布剤が垂れ落ちた場合に当該塗布剤を受け止めるための液だれ受け面とされている。
【００３５】
この実施形態の塗布用容器１は、その胴体２を下方から片手で鷲掴みしたときに揺れ動きにくく保持しやすくするように工夫しているので、以下で詳細に説明する。
【００３６】
ここで、前記鷲掴みとは、図３および図４に示すように、片手の掌、例えば、掌における丘部分（主に土星丘、木星丘、太陽丘で、各指の付け根部分とも言う）に塗布用容器１の胴体２の底面を当てて、当該片手の各指先で胴体２の外周所定位置を掴むようにした形態のことである。例えば、土星丘、木星丘またはそれらの中間部分に塗布用容器１の胴体２の底面を当てて、主に親指、人差し指および中指の各指先で胴体２の外周所定位置を掴むようにした形態が挙げられる。
【００３７】
上記実施形態の塗布用容器１は、胴体２の段壁面２ｃより下方の所定位置に片手の各指先の引っ掛かりとなる引っ掛け部５を設けており、胴体２の底面から引っ掛け部５までの高さ寸法Ｈと、胴体２の最大外径寸法Ｒとを設定している。また、胴体２の下部（中心軸線方向の中間の所定位置から下側）を下端（底面）に向けて徐々に縮径するような曲面形状に形成している。
【００３８】
この実施形態では、引っ掛け部５を環状溝としていて、この環状溝の溝底を部分球面状のような曲面形状の凹みにしている。
【００３９】
前記高さ寸法Ｈは、「４２〜５８ｍｍ」、好ましくは「４５〜５５ｍｍ」に設定することができる。また、前記最大外径寸法Ｒは、「４０〜５５ｍｍ」、好ましくは「４２〜５０ｍｍ」に設定することができる。
【００４０】
さらに、上記引っ掛け部５に対する各指先の引っ掛かり代（例えば上記環状溝の最大深さ）は、各指先を引っ掛け部５に引っ掛けたときにその状態を維持しやすくなるように、「０．３５ｍｍ以上」、好ましくは「０．４〜２ｍｍ」に設定することができる。
【００４１】
このような工夫を施していれば、図３および図４に示すように塗布用容器１の胴体２を下方から片手で鷲掴みすると、片手の掌の丘部分が胴体２の底面に当接することになって、各指先が胴体２の引っ掛け部５に引っ掛かることになる。
【００４２】
これにより、前記掌の丘部分と各指先とで胴体２を挟むような形態になるので、当該挟む力、つまり前記丘部分で胴体２を支える力と、前記各指先で胴体２を手の掌側に引き寄せる力とで胴体２を強固に掴むことができるようになる。
【００４３】
その結果、片手に塗布用容器１を揺れ動くことなくしっかりと安定した状態で保持できるようになる。言い換えると、塗布用容器１をフィット感良く保持できるようになる。
【００４４】
したがって、例えば図５に示すように、身体の腋に塗布剤を塗るような場合に、塗布用容器１を揺れ動かないようにしっかり安定した状態で保持したまま、腕を自然な姿勢で折り曲げて、アプリケーター部材３のボール３ａを前記腋に正確に押し付けることが可能になる。このように、身体の姿勢に無理をせずに簡単かつ正確に塗布剤を身体の所望位置（湾曲等）に塗ることが可能になる。
【００４５】
一方、塗布用容器１を胴体２の横から握るような形態で保持する場合には、安定性には優れるものの、腋や背中などの見えにくい部分や手の届きにくい部分に塗布する場合の自由度に劣る場合がある。
【００４６】
但し、本発明の塗布用容器１を保持する方法としては、鷲掴みに限定されるものではなく、使用部位等に応じて、胴体２を横方向から握るように持つことも可能である。
【００４７】
なお、各指先の引っ掛け先を胴体２の段壁面２ｃとせずに、あえて引っ掛け部５を段壁面２ｃより下方に設けた理由を説明する。
【００４８】
そもそも、前記段壁面２ｃは、上述しているように、アプリケーター部材３から塗布剤が垂れ落ちた場合に当該塗布剤を受け止めるための液だれ受け面としての役割を持たされていることから、この段壁面２ｃに塗布剤が付着していると、指先が滑ることになる他、触ることを不快に感じる人が多いからである。
【００４９】
次に、上述したように、前記高さ寸法Ｈを「４２〜５８ｍｍ」、好ましくは「４５〜５５ｍｍ」に設定し、また、前記最大外径寸法Ｒを「４０〜５５ｍｍ」、好ましくは「４２〜５０ｍｍ」に設定し、引っ掛かり代を０．３５ｍｍ以上、好ましくは「０．４〜２ｍｍ」に設定した理由について調べているので、説明する。
【００５０】
（Ａ）高さ寸法Ｈの範囲を設定する実験
前記高さ寸法Ｈの範囲を設定する実験は、以下のとおり行った。胴体２の最大外径寸法Ｒが４４．３ｍｍ、ボール３ａの頂点までの高さが１１３ｍｍである段差を有しない塗布用容器の胴体２の外周に、別体のベルト（低密度ポリエチレン製、幅１５ｍｍ、厚み１．１ｍｍ）を巻き掛けることによって引っ掛け部５としての段差（引っ掛かり代、１．１ｍｍ）を付けるようにした試料を用意した。前記試料の形態は図示していないが図７と同様であり、前記試料の最大外径寸法Ｒは「４６．５ｍｍ」である。
【００５１】
前記試料において、前記ベルトを胴体２の中心軸線方向にずらして固定し、引っ掛け部５としての段差の位置を胴体２の中心軸線方向に適宜変えることにより、高さ寸法Ｈを変えるようにした。前記高さ寸法Ｈは、「３８ｍｍ」、「４０ｍｍ」、「４２ｍｍ」、「４５ｍｍ」、「５０ｍｍ」、「５５ｍｍ」、「５８ｍｍ」、「６０ｍｍ」、「６２ｍｍ」の９段階にした。
【００５２】
そして、１０名の被験者が、前記試料の持ちやすさを、５段階の評価スコアで評価し、その平均値を算出した。評価スコアについて、「１」は「持ちやすい」、「２」は「やや持ちやすい」、「３」は「どちらともいえない」、「４」は「やや持ちにくい」、「５」は「持ちにくい」である。
【００５３】
ここで、高さ寸法Ｈ毎の評価スコアの平均値の結果としては、図１２に示すように、「３８ｍｍ」のとき「５．０」で標準偏差は「０．００」、「４０ｍｍ」のとき「４．６」で標準偏差は「０．６６」、「４２ｍｍ」のとき「３．０」で標準偏差は「０．７７」、「４５ｍｍ」のとき「２．５」で標準偏差は「０．６７」、「５０ｍｍ」のとき「１．８」で標準偏差は「０．６０」、「５５ｍｍ」のとき「２．３」で標準偏差は「１．１０」、「５８ｍｍ」のとき「２．９」で標準偏差は「１．４５」、「６０ｍｍ」のとき「３．７」で標準偏差は「１．２７」、「６２ｍｍ」のとき「４．５」で標準偏差は「０．８１」であった。
【００５４】
この結果から、評価スコアの「３」を目安としたうえで、高さ寸法Ｈが「４２ｍｍ」のときの評価スコアの平均値「３．０」と、高さ寸法Ｈが「４０ｍｍ」のときの評価スコアの平均値「４．６」とが乖離しているので、ここを境界点と判断した。
【００５５】
また、同様に、評価スコアの「３」を目安としたうえで、高さ寸法Ｈが「５８ｍｍ」のときの評価スコアの平均値「２．９」と、高さ寸法Ｈが「６０ｍｍ」のときの評価スコアの平均値「３．７」とが乖離しているので、ここを境界点と判断した。
【００５６】
これら結果に基づき、高さ寸法Ｈを上述しているように「４２〜５８ｍｍ」に設定し、より好ましい範囲として、評価スコアの平均値が２．５以下であった「４５〜５５ｍｍ」
に設定した。
【００５７】
（Ｂ）最大外径寸法Ｒの範囲を設定する実験
また、前記最大外径寸法Ｒの範囲を設定する実験は、以下のとおり行った。図示していないが、胴体２に引っ掛け部５としての環状溝（引っ掛かり代、１．０ｍｍ）を設けて前記高さ寸法Ｈを「５０ｍｍ」にし、さらに胴体２の最大外径寸法Ｒを「３３ｍｍ」、「３６ｍｍ」、「３８ｍｍ」、「４０ｍｍ」、「４４ｍｍ」、「５０ｍｍ」、「５３ｍｍ」、「５５ｍｍ」、「６０ｍｍ」にした９タイプの試料を用意した。なお、各試料のボール３ａの頂点までの高さは９９ｍｍである。
【００５８】
そして、１０名の被験者が、前記試料の持ちやすさを、５段階の評価スコアで評価し、その平均値を算出した。評価スコアについて、「１」は「持ちやすい」、「２」は「やや持ちやすい」、「３」は「どちらともいえない」、「４」は「やや持ちにくい」、「５」は「持ちにくい」である。
【００５９】
ここで、最大外径寸法Ｒ毎の評価スコアの平均値の結果としては、図１３に示すように、「３３ｍｍ」のとき「３．３」で標準偏差は「１．００」、「３６ｍｍ」のとき「３．４」で標準偏差は「０．６６」、「３８ｍｍ」のとき「３．１」で標準偏差は「１．１４」、「４０ｍｍ」のとき「２．４」で標準偏差は「０．８０」、「４４ｍｍ」のとき「１．５」で標準偏差は「０．５０」、「５０ｍｍ」のとき「２．６」で標準偏差は「０．８０」、「５３ｍｍ」のとき「２．８」で標準偏差は「０．８７」、「５５ｍｍ」のとき「３．２」で標準偏差は「１．０８」、「６０ｍｍ」のとき「４．３」で標準偏差は「０．７８」であった。
【００６０】
この結果から、評価スコアの「３」を目安としたうえで、最大外径寸法Ｒが「４０ｍｍ」のときの評価スコアの平均値「２．４」と、最大外径寸法Ｒが「３８ｍｍ」のときの評価スコアの平均値「３．１」とが乖離しているので、ここを境界点と判断した。
【００６１】
また、同様に、評価スコアの「３」を目安としたうえで、最大外径寸法Ｒが「５５ｍｍ」のときの評価スコアの平均値「３．２」と、最大外径寸法Ｒが「６０ｍｍ」のときの評価スコアの平均値「４．３」とが乖離しているので、ここを境界点と判断した。
【００６２】
これら結果に基づき、最大外径寸法Ｒを上述しているように「４０〜５５ｍｍ」に設定
し、より好ましい範囲として、「４２〜５０ｍｍ」に設定した。
【００６３】
（Ｃ）引っ掛かり代の範囲を設定する実験
次に、上述したように、前記引っ掛かり代を０．３５ｍｍ以上、好ましくは「０．４〜２ｍｍ」に設定した理由について調べているので、説明する。
【００６４】
前記引っ掛かり代の範囲を設定する実験は、以下のとおり行った。胴体２の最大外径寸法Ｒが４４．３ｍｍ、ボール３ａの頂点までの高さが１１３ｍｍである段差を有しない塗布用容器の胴体２の外周に、別体のベルト（ポリエチレンテレフタレート製、幅２２ｍｍ）を巻き掛けることによって引っ掛け部５としての段差を付けるようにした試料を用意した。前記試料の形態は図示していないが図７と同様であり、前記試料の高さ寸法Ｈは「５０ｍｍ」である。
【００６５】
前記試料において、前記ベルトの厚みを変えることにより、引っ掛かり代を変えるようにした。前記引っ掛かり代を「０．２ｍｍ」、「０．２５ｍｍ」、「０．３ｍｍ」、「０．３５ｍｍ」、「０．４ｍｍ」、「０．４５ｍｍ」、「０．５ｍｍ」、「０．５５ｍｍ」、「０．６ｍｍ」にした９タイプの試料を用意した。
【００６６】
そして、１０名の被験者が、前記試料の持ちやすさを、４段階の評価スコアで評価し、その平均値を算出した。評価スコアについて、「１」は「十分な引っ掛かりを感じ掌と指先でしっかり持つことができる」、「２」は「引っ掛かりを感じ掌と指先で持つことができる」、「３」は「引っ掛かりを感じるが掌と指先で挟んで持つには至らない」、「４」は「ほとんど引っ掛かりを感じない」である。
【００６７】
ここで、引っ掛かり代毎の評価スコアの平均値の結果としては、図１４に示すように、「０．２ｍｍ」のとき「３．８」で標準偏差は「０．４０」、「０．２５ｍｍ」のとき「３．１」で標準偏差は「０．５４」、「０．３ｍｍ」のとき「２．８」で標準偏差は「０．４０」、「０．３５ｍｍ」のとき「２．３」で標準偏差は「０．４６」、「０．４ｍｍ」のとき「１．９」で標準偏差は「０．７０」、「０．４５ｍｍ」のとき「１．７」で標準偏差は「０．６４」、「０．５ｍｍ」のとき「１．６」で標準偏差は「０．４９」、「０．５５ｍｍ」のとき「１．２」で標準偏差は「０．４０」、「０．６ｍｍ」のとき「１．２」で標準偏差は「０．４０」であった。
【００６８】
この結果から、評価スコアの「２」を目安としたうえで、引っ掛かり代が「０．３ｍｍ」のときの評価スコアの平均値「２．８」と、「０．３５ｍｍ」のときの評価スコアの平均値「２．３」とが乖離しているので、ここを境界点と判断した。
【００６９】
この結果に基づき、引っ掛かり代を上述しているように「０．３５ｍｍ以上」に設定した。そして、評価スコアが「２」未満で、引っ掛かり代となる引っ掛け部５の凹みが大きくなり過ぎないことを考慮して、より好ましい範囲を「０．４〜２ｍｍ」に設定した。
【００７０】
（Ｄ）胴体の下部の形状による影響を評価する実験
図２と同様の形状であり、最大外径寸法Ｒが４４．３ｍｍ、ボール３ａの頂点までの高さが１１３ｍｍであり、引っ掛かり代が１．０ｍｍ、高さ寸法Ｈが５０ｍｍである環状溝（溝の幅８．８ｍｍ）を有する４タイプの試料（ｄ−１）、（ｄ−２）、（ｄ−３）及び（ｄ−４）を用意した。試料（ｄ−１）、（ｄ−２）及び（ｄ−３）は、いずれも胴体２の下部が底面へ向けて徐々に縮径するように丸みを帯びた形状に形成されており、底面の直径がそれぞれ、「２３ｍｍ」、「２５ｍｍ」、「３０ｍｍ」であった。試料（ｄ−４）は、胴体２の下部が底面へ向けて縮径しない円筒状に形成されていた。
【００７１】
そして、５名の被験者が前記試料の持ちやすさを評価したところ、前記試料の試料（ｄ−１）、（ｄ−２）及び（ｄ−３）は、前記試料（ｄ−４）よりもフィット感に優れていた。
【００７２】
なお、本発明は、上記実施形態のみに限定されるものではなく、特許請求の範囲内および当該範囲と均等の範囲内で適宜に変更することが可能である。
【００７３】
（１）上記実施形態では引っ掛け部５を環状溝とした例を挙げているが、本発明はこれのみに限定されるものではなく、例えば図６から図１１を参照して、本発明の他の実施形態を説明する。
【００７４】
図６の実施形態では、胴体２において上端から下側に向けて所定幅領域を小径に形成することにより、胴体２において前記小径領域とその他の領域との間に生ずる段差を引っ掛け部５にしている。
【００７５】
図７の実施形態では、図６の実施形態において胴体２の前記段差から所定幅だけ下の位置から下端つまり底面までの領域を小径にしている。
【００７６】
図８の実施形態では、引っ掛け部５を、胴体２の上部の円周方向全域にドットマトリクス状に点在して設けられる多数の突起にしている。
【００７７】
図９の実施形態では、図６の実施形態と図８の実施形態との組み合わせであって、胴体２において上端から下側に向けて所定幅領域を小径にしたうえで、当該小径領域の円周方向全域に多数の突起をドットマトリクス状に点在して設けるようにしている。
【００７８】
この場合、胴体２において前記小径領域とその他の領域との間に生ずる段差と、前記突起とが引っ掛け部５を構成している。
【００７９】
図１０の実施形態では、引っ掛け部５を、胴体２の上部の円周方向全域にドットマトリクス状に点在して設けられる多数の凹みにしている。
【００８０】
図１１の実施形態では、胴体２の全高寸法を可及的に大きく設定している場合を前提とし、当該胴体２の高さ方向の中間領域に引っ掛け部５を設けている。この場合、引っ掛け部５を図２に示したような環状溝にしているが、上述したいろいろな形態にすることが可能である。また、胴体２の底面から引っ掛け部５までの高さ寸法Ｈ、最大外径寸法Ｒならびに引っ掛け代については、上述した実施形態と同様に設定される。
【００８１】
（２）上記実施形態では、アプリケーター部材３にボール３ａを用いた例を挙げているが、本発明はこれのみに限定されるものではなく、例えばボール３ａの代わりに、発泡部材（ラバーまたはポリウレタンなど）を用いる構成としたり、スティック状の塗布剤を用いて胴体２に直接的に収納する構成としたりすることが可能である。即ち、本発明の塗布用容器１としては、例えば、ロールオン容器、スティック容器（繰り出し容器）、発泡ラバーを有する塗布容器などが挙げられ、好ましくはロールオン容器である。
【００８２】
本発明の塗布用容器１の用途としては、特に限定されないが、例えば、デオドラント剤を塗布するデオドラント製品；香水やオーデコロンなどを塗布するフレグランス化粧品；化粧水などを塗布するスキンケア化粧品；整髪剤や染毛剤などを塗布する頭髪用化粧品；日焼け止め製品；防虫剤；虫刺され薬、鎮痛剤、消炎剤などの医薬品などが挙げられる。中でも、鷲掴みの持ち方で安定した状態で持ちやすく、正確に塗布しやすいという観点から、デオドラント製品が好ましく、特に腋用のデオドラント剤を塗布する腋用デオドラント製品が好ましい。
【産業上の利用可能性】
【００８３】
本発明は、塗布剤が収容される胴体の上端が開口されており、この開口部分にアプリケーター部材が取り付けられ、このアプリケーター部材から前記胴体内の塗布剤が出される塗布用容器に好適に利用することが可能である。例えば、デオドラント製品用のロールオン容器として好適に利用することが可能である。
【符号の説明】
【００８４】
１  塗布用容器
２  胴体
２ａ  付け根側小径筒部
２ｂ  先端側小径筒部
２ｃ  段壁面
３  アプリケーター部材
３ａ  ボール
３ｂ  ホルダ
４  キャップ
５  引っ掛け部
Ｈ  高さ寸法
Ｒ  最大外径寸法
【図１】
2018015199.tif 000003
【図２】
2018015199.tif 000004
【図３】
2018015199.tif 000005
【図４】
2018015199.tif 000006
【図５】
2018015199.tif 000007
【図６】
2018015199.tif 000008
【図７】
2018015199.tif 000009
【図８】
2018015199.tif 000010
【図９】
2018015199.tif 000011
【図１０】
2018015199.tif 000012
【図１１】
2018015199.tif 000013
【図１２】
2018015199.tif 000014
【図１３】
2018015199.tif 000015
【図１４】
2018015199.tif 000016